(57)【特許請求の範囲】
【請求項１】
インストルメントパネルに形成されたグローブボックス開口上辺部の略中央部にストライカを配設し、グローブボックスの開閉蓋の上部にストライカに係合するロック手段を配設したグローブボックス構造であって、開閉蓋の上部を車室側に突出させるとともに、グローブボックス開口上辺部より車室側にストライカを突出させて配設し、突出したストライカの上部を覆う突出覆部をグローブボックス開口上辺部から延出し、グローブボックス開口内の上部に、略中央上部に突出覆部が嵌まり込む切欠部を設けた小物入れを配設したことを特徴とするグローブボックス構造。
【請求項２】
小物入れの上面の適所をインストルメントパネルにビス止め固定し、小物入れの両側端の下部に上方に向けて略Ｖ字状に開くガイド兼係止部を設け、グローブボックス開口の両側辺部にガイド兼係止部内に嵌入係合する係合片を突設したことを特徴とする請求項１記載のグローブボックス構造。
【発明の詳細な説明】
【０００１】
【発明の属する技術分野】
本発明は自動車のグローブボックスの構造に関するものである。
【０００２】
【従来の技術】
グローブボックスは、インストルメントパネルの助手席の前部にグローブボックス開口を形成し、このグローブボックス開口を下端部が枢支された開閉蓋にて開閉するようにして構成されている。開閉蓋を閉じた状態で係止する手段は、グローブボックス開口の上辺部の略中央部にストライカを配設し、開閉蓋の上部にストライカに係合するロック手段を配設して構成されている。
【０００３】
ところで、図６に示すように、インストルメントパネル３１の意匠に合わせて、グローブボックス３２の開閉蓋３３をその上部が車室側に突出するような形状に構成した場合には、実開平６−３７４７６号公報に開示されているような特殊なロック手段を用いる必要がある。図６を参照して説明すると、ストライカ３４はグローブボックス３２の開口の上辺部から大きく突出させていず、そのためロック手段３５として、奥行き寸法の大きなボデー３６を開閉蓋３３の上部に装着するとともにそのボデー３６の車室側の前面に操作ハンドル３７を配設して開閉蓋３３の上部に形成した操作開口３３ａに臨ませ、この操作ハンドル３７の操作によってボデー３６内の連動機構を介してボデー３６に設けられた係止爪３８をストライカ３４に対して係止解除するように構成したものが用いられている。
【０００４】
一方、図７に示すように、従来の一般的なロック手段４１を用いた場合には、ストライカ４２をグローブボックス３２の開口の上辺部から車室側に向けて長く延出させ、かつ外見上のストライカ４２の突出量を可及的に小さくして見栄えを良くするため、インストルメントパネル３１のグローブボックス３２の開口の上辺部から下方に延出部３１ａを形成する必要がある。
【０００５】
【発明が解決しようとする課題】
ところが、図６に示したように、特殊なロック手段３５を用いると、専用設計となるためにコスト高になるという問題がある。
【０００６】
また、図７に示すようにストライカ４２を車室側に長く延出した場合には、開閉蓋３３を開いたときに、ストライカ４２が図中のＡのように大きく突出して見えるために見栄えが悪く、またグローブボックス３２の開口の上辺部から下方に延出部３１ａを延出させることによってグローブボックス３２の収容スペースが図中Ｂの領域だけ減少するという問題がある。
【０００７】
本発明は、上記従来の問題点に鑑み、低コストにて構成できるとともに見栄えが良くかつ大きな収容スペースを確保でき、また小物入れを有して収容スペースを容易かつ有効に利用でき、さらにその組み付けの容易なグローブボックス構造を提供することを目的とする。
【０００８】
【課題を解決するための手段】
本発明のグローブボックス構造は、インストルメントパネルに形成されたグローブボックス開口上辺部の略中央部にストライカを配設し、グローブボックスの開閉蓋の上部にストライカに係合するロック手段を配設したグローブボックス構造であって、開閉蓋の上部を車室側に突出させるとともに、グローブボックス開口上辺部より車室側にストライカを突出させて配設し、突出したストライカの上部を覆う突出覆部をグローブボックス開口上辺部から延出し、グローブボックス開口内の上部に、略中央上部に突出覆部が嵌まり込む切欠部を設けた小物入れを配設したことを特徴とする。
本発明によると、突出覆部にてストライカの上部を覆っているので、ストライカを長く延出しても外観的に見栄えが悪くなるということがなく、そのためストライカを長く延出してロック手段として安価な量産品をそのまま使用することができて低コストにて構成でき、また突出覆部はストライカの部分のみを覆っているので、大きな収容スペースを確保することができる。
【０００９】
また、グローブボックス開口内の上部に、略中央上部に突出覆部が嵌まり込む切欠部を設けた小物入れを配設しているので、突出覆部がさらに目立たず見栄えが良くなるとともに、グローブボックス開口内の上部に小物を収容できるので、収容スペースを容易かつ有効に利用できる。
【００１０】
本発明において、小物入れの両側端の下部に上方に向けて略Ｖ字状に開くガイド兼係止部を設け、グローブボックス開口の両側辺部にガイド兼係止部内に嵌入係合する係合片を突設し、小物入れの両側端下部のガイド兼係止部内にインストルメントパネルの係合片を挿入するようにして小物入れを押し込んで仮固定した後その上面をビス止めすることによって、小物入れを容易に組み付けることができるとともに小物入れの上面の適所をインストルメントパネルにビス止め固定することで上部及び下部を強固に固定することができる。
【００１１】
【発明の実施の形態】
以下、本発明のグローブボックス構造の一実施形態について、図１〜図５を参照して説明する。
【００１２】
図１において、１はインストルメントパネルで、グローブボックスの上部位置に対応する部分が車室側に大きく突出した形状の意匠とされている。このインストルメントパネル１の助手席の前部位置にグローブボックス開口２が形成されている。３はグローブボックス開口２を開閉する開閉蓋で、下端部がグローブボックス開口２の下縁部両側に設けられた枢支部４にて閉じた姿勢と所定角度開いた姿勢との間で開閉自在に枢支されている。開閉蓋３の外面はインストルメントパネル１の意匠に合わせてその上部が車室側に大きく突出した形状とされ、その上部中央部に開蓋操作開口３ａが形成されている。３ｂは、開閉蓋３の内面に設けられた収納ポケットである。５はグローブボックス開口２の上部に取付けられる小物入れであり、適当幅の中央部を除いてその両側部に収容ボックス部６が設けられ、中央上部に切欠７が設けられている。
【００１３】
グローブボックス開口２の上辺部８には、図２、図３に示すように、開閉蓋３の上端部が丁度入り込む凹入段部９が形成され、かつその中央部からは突出覆部１０が車室側に向けて斜め下方に突出形成されている。凹入段部９の中央部及び突出覆部１０の背面に上下に適当間隔あけて複数の取付ボス１１が突設され、取付金具１２がビス１３にて取付けられている。取付金具１２は突出覆部１０の下端近傍まで延出された後、車室側とは反対側にくの字状に屈曲され、さらにその下端に水平屈曲部１２ａが形成されている。取付金具１２のくの字状屈曲部の上部にストライカ１４の基部が溶接にて固着され、ストライカ１４が突出覆部１０の先端から比較的短く車室側に向けて斜め下方に延出されている。
【００１４】
開閉蓋３の上部の中央部には、ストライカ１４に係合するロック手段１５が配設されている。ロック手段１５は、そのロック解除ハンドル１６が開蓋操作開口３ａに臨み、係止爪１７がストライカ１４に係合するように配設されている。そして、係止爪１７を常時係止位置に向けて突出付勢するとともにロック解除ハンドル１６を手前上方に引上げ操作すると内蔵された連動機構を介して係止爪１７が係合解除位置に退入するように構成されている。また、係止爪１７の背面側にはガイド傾斜面１７ａが形成され、開閉蓋３を閉じるとストライカ１４がこのガイド傾斜面１７ａに係合して係止爪１７を退入させ、ストライカ１４が乗り越えて自動的に係合するように構成されている。
【００１５】
小物入れ５の中央部においては、図２及び図４に示すように、上部に突出覆部１０が丁度嵌入する切欠７が形成され、その下部は両側の収容ボックス部６を連結する断面形状略Ｌ字状の連結部１８とされ、その背部側に延びるフランジ部１８ａがビス１９にて取付金具１２の下端の水平屈曲部１２ａに締結固定されている。また、連結部１８の上端には、突出覆部１０の下端に背面側に向けて折曲形成された端縁鍔１０ａに背部側から係合する係合片１８ｂが設けられている。
【００１６】
各収容ボックス部６の上壁６ａには、図３及び図４に示すように、その略中央位置に取付座２０が形成され、インストルメントパネル１の背部に配設された取付部材２１にビス２２にて締結固定されている。
【００１７】
また、小物入れ５の両側端の下部には、図４に示すように、上方に向けて略Ｖ字状に開くガイド兼係止部２３が設けられ、グローブボックス開口２の両側辺部２４には小物入れ５を配置したときに、図５に示すように、ガイド兼係止部２３内に嵌入係合する係合片２５が突設されている。
【００１８】
以上の構成によれば、ストライカ１４を車室側に突出させて配設しているので、ロック手段１５として従来から汎用されている安価な量産品をそのまま使用することができて低コストにて構成することができる。しかも、そのストライカ１４の上部を、グローブボックス開口２の上辺部８の凹入段部９から一体的に車室側に延出させた突出覆部１０にて覆っているので、外観的に見栄えが悪くなるということもなく、また突出覆部１０はストライカ１４の部分のみを覆っているので、大きな収容スペースを確保することができる。
【００１９】
また、グローブボックス開口２内の上部に、上記突出覆部１０が嵌まり込む切欠７を設けた小物入れ５を配設しているので、突出覆部１０がさらに目立たず見栄えが良くなるとともに、グローブボックス開口２内の上部に配設した小物入れ５の収容ボックス部６内にＣＤやカセットなどの小物を収容できるので、グローブボックス内の収容スペースを容易かつ有効に利用できる。
【００２０】
さらに、小物入れ５の組み付け時には、これをグローブボックス開口２内の上部に挿入し、その両側端下部のＶ字状に広がるガイド兼係止部２３内にグローブボックス開口２の両側辺部２４に突設した係合片２５を嵌入させて押し上げることにより、ガイド兼係止部２３に係合片２５を係合させ、同時に中央部の連結部１８の下端のフランジ部１８ａを取付金具１２の水平屈曲部１２ａの下面に当接させるとともに上端の係合片１８ｂを突出覆部１０の下端の端縁鍔１０ａに背部側から係合させ、その状態で連結部１８の下端のフランジ部１８ａをビス１９にて取付金具１２の下端に締結固定し、また収納ボックス部６の上壁６ａの取付座２０をビス２２にて取付部材２１に締結固定することによって容易に組み付けることができる。
【００２１】
また、その組み付け状態で、小物入れ５の両側の収容ボックス部６の上壁６ａがインストルメントパネル１の取付部材２１にビス止め固定されるとともに、中央の連結部１８の上端の係合片１８ｂが突出覆部１０の下端に係合し、また小物入れ５の両側端の下部がガイド兼係止部２３と係合片２５の係合により係合固定されるとともに中央部の連結部１８の下端のフランジ部１８ａが取付金具１２の下端にビス止め固定されているので、小物入れ５はその上部及び下部を強固にインストルメントパネル１に装着固定され、不快な振動やビビリ騒音の発生原因になることもない。
【００２２】
【発明の効果】
本発明のグローブボックス構造によれば、以上のようにグローブボックス開口上辺部より車室側にストライカを突出させて配設し、突出したストライカの上部を覆う突出覆部をグローブボックス開口上辺部から延出したので、開閉蓋の上部を車室側に突出した意匠としてストライカを長く突出させてもその上部を突出覆部にて覆っているため外観的に見栄えが悪くなるということがなく、そのためロック手段として安価な量産品をそのまま使用することができて低コストにて構成でき、また突出覆部はストライカの部分のみを覆っているので、大きな収容スペースを確保することができる。
【００２３】
また、グローブボックス開口内の上部に、略中央上部に突出覆部が嵌まり込む切欠部を設けた小物入れを配設しているので、突出覆部がさらに目立たず見栄えが良くなるとともに、グローブボックス開口内の上部に小物を収容できるので、収容スペースを容易かつ有効に利用できる。
【００２４】
本発明において、小物入れの両側端の下部に上方に向けて略Ｖ字状に開くガイド兼係止部を設け、グローブボックス開口の両側辺部にガイド兼係止部内に嵌入係合する係合片を突設し、小物入れの両側端下部のガイド兼係止部内にインストルメントパネルの係合片を挿入するようにして小物入れを押し込んで仮固定した後その上面をビス止めすることによって、小物入れを容易に組み付けることができるとともに小物入れの上面の適所をインストルメントパネルにビス止め固定することで上部及び下部を強固に固定することができる。
【図面の簡単な説明】
【図１】本発明のグローブボックス構造の一実施形態の分解斜視図である。
【図２】同実施形態における要部構成を示す図１のＡ−Ａ矢視断面図である。
【図３】同実施形態における小物入れの上面の取付状態を示す図１のＢ−Ｂ矢視断面図である。
【図４】同実施形態における小物入れの斜視図である。
【図５】同実施形態における小物入れの両側端の係合固定状態を示す側面図である。
【図６】従来例のグローブボックス構造の要部構成を示す縦断側面図である。
【図７】他の従来例のグローブボックス構造の要部構成を示す縦断側面図である。
【符号の説明】
１  インストルメントパネル
２  グローブボックス開口
３  開閉蓋
５  小物入れ
７  切欠
８  上辺部
１０  突出覆部
１４  ストライカ
１５  ロック手段
２２  ビス
２３  ガイド兼係止部
２４  側辺部
２５  係合片
【図１】
0003621855.tif 000002
【図２】
0003621855.tif 000003
【図３】
0003621855.tif 000004
【図４】
0003621855.tif 000005
【図５】
0003621855.tif 000006
【図６】
0003621855.tif 000007
【図７】
0003621855.tif 000008